(57)【要約】【課題】衣服のデザインを損なうことなく、眼鏡のつるを安定して引っ掛けて、かがんだ姿勢でも眼鏡が落ちない衣服を提供する。【解決手段】衣服１０の襟ぐり１２の、正面側の略中央部（胸元）から、前記襟ぐり１２から衣服１０の下部側に所定の間隔をおいて、衣服１０の縦方向に切り込み１４を設けることとした。このため、眼鏡５０のつる５２が、襟ぐり１２から切り込み１４の上端までの位置で、衣服１０の生地と引っ掛かるため、眼鏡５０が落ちず、安定して引っ掛けておくことができ、かがんた状態でも眼鏡５０が滑り落ちることがない。また、眼鏡５０のつる５２をかける部分を切り込み１４としているため、衣服１０のデザインを損なうことがない。【選択図】図２
2020084346.tif 000002
【特許請求の範囲】
【請求項１】
衣服の上部に向けて開口した開口部を形成する縁部を備えた衣服であって、
前記縁部から、前記衣服の下部側に所定の間隔をおいて、衣服の縦方向又は横方向に形成されており、眼鏡のつるを挿通可能な切り込み、
を備えたことを特徴とする衣服。
【請求項２】
前記切り込みは、前記縁部から５ｍｍ〜７０ｍｍの範囲内に設けることを特徴とする請求項１記載の衣服。
【請求項３】
前記切り込みの長さは、１０ｍｍ〜３０ｍｍであることを特徴とする請求項１又は２記載の衣服。
【請求項４】
前記切り込みの縁部を、伸縮性の低い糸で補強することを特徴とする請求項１〜３のいずれか一項に記載の衣服。
【請求項５】
前記切り込みを含む所定の領域を、伸縮性の低い生地で補強することを特徴とする請求項１〜４のいずれか一項に記載の衣服。
【請求項６】
前記衣服が、伸縮性の低い生地からなることを特徴とする請求項１〜４のいずれか一項に記載の衣服。
【発明の詳細な説明】
【技術分野】
【０００１】
本発明は、衣服に関し、更に具体的には、サングラス等のメガネをかけるのに適した衣服に関するものである。
【背景技術】
【０００２】
着用していたサングラス等の眼鏡を、一時的に、眼鏡のつるの一本をシャツの胸元に引っ掛けておくことがある。しかしながら、その状態で靴紐を直したり、トイレに行くなどでかがむと、眼鏡を落としてしまうことがある。すなわち、立っている状態では、地面に対し９０度程度の角度を保っていたシャツが、かがんた時に、地面と水平近く又はそれ以上傾き、かけていた眼鏡のつるが開いて、レンズ等の重みによって支点がずれ落下してしまう。そのたびに、お気に入りの眼鏡を傷付けたり汚してしまうことになる。かといって、毎回ケースにしまうのは面倒であるので、かがんでも眼鏡が落ちないような解決策が望まれる。
【０００３】
このような課題に対し、下記特許文献１に、シャツ、トレーナー、セータ等の衣服において、胸元部分にサングラス、ペン等を引っ掛けるための環部分を形成する引っ掛け体を設けた衣服が開示されている。
【先行技術文献】
【特許文献】
【０００４】
【特許文献１】特開平１１−１８０６号公報
【発明の概要】
【発明が解決しようとする課題】
【０００５】
しかしながら、上述した特許文献１に記載の技術では、衣服の表側に帯状の引っ掛け体をラベルのように設けるため、衣服自体のデザインを損なうおそれがある。
【０００６】
本発明は、以上のような点に着目したもので、衣服のデザインを損なうことなく、眼鏡のつるを安定して引っ掛けて、かがんだ姿勢でも眼鏡が落ちない衣服を提供することを、その目的とする。
【課題を解決するための手段】
【０００７】
本発明は、衣服の上部に向けて開口した開口部を形成する縁部を備えた衣服であって、前記縁部から、前記衣服の下部側に所定の間隔をおいて、衣服の縦方向又は横方向に形成されており、眼鏡のつるを挿通可能な切り込み、を備えたことを特徴とする。
【０００８】
主要な形態の一つは、前記切り込みは、前記縁部から５ｍｍ〜７０ｍｍの範囲内に設けることを特徴とする。他の形態の一つは、前記切り込みの長さは、１０ｍｍ〜３０ｍｍであることを特徴とする。
【０００９】
更に他の形態の一つは、前記切り込みの縁部を、伸縮性の低い糸で補強することを特徴とする。
【００１０】
更に他の形態の一つは、前記切り込みを含む所定の領域を、伸縮性の低い生地で補強することを特徴とする、あるいは、前記衣服が、伸縮性の低い生地からなることを特徴とする。本発明の前記及び他の目的，特徴，利点は、以下の詳細な説明及び添付図面から明瞭になろう。
【発明の効果】
【００１１】
本発明によれば、衣服の上部に向けて開口した開口部を形成する縁部を備えた衣服であって、前記縁部から、前記衣服の下部側に所定の間隔をおいて、衣服の上下方向又は横方向に形成されており、眼鏡のつるを挿通可能な切り込み、を備えることとした。このため、衣服のデザインを損なうことなく、眼鏡のつるを安定して引っ掛けて、かがんだ姿勢でも眼鏡が落ちない衣服を提供できるという効果がある。
【図面の簡単な説明】
【００１２】
【図１】本発明の実施例１の衣服を示す図であり、(A)は全体構成を示す平面図，(B)は主要部を拡大して示す図である。
【図２】前記実施例１の使用例を示す図であり、(A)は使用者が起立状態で眼鏡のつるをかけた図，(B)は眼鏡をかけた状態で、使用者が上体を前に倒した状態を示す図である。
【図３】本発明の実施例２の衣服を示す平面図である。
【発明を実施するための形態】
【００１３】
以下、本発明を実施するための最良の形態を、実施例に基づいて詳細に説明する。
【実施例１】
【００１４】
最初に、図１及び図２を参照しながら、本発明の実施例１を説明する。図１は、本実施例の衣服を示す図であり、(A)は全体構成を示す平面図、(B)は主要部を拡大して示す図である。図２は、本実施例の使用例を示す図であり、(A)は、使用者が起立状態で眼鏡のつるをかけた状態を示す図，(B)は眼鏡をかけた状態で、使用者が上体を前に倒した（かがんだ）状態を示す図である。
【００１５】
本発明の衣服は、衣服の上部に向けて開口する開口部を形成する縁部を備えた衣服全般に適用可能であるが、本実施例では、襟ぐりが丸首のシャツを例に挙げて説明する。図１(A)に示すように、本実施例の衣服１０は、衣服の正面側であって、襟ぐり１２の中央付近から、衣服１０の下部側に所定の長さＬ１をおいた位置に、縦方向に形成された切り込み１４が設けられている。
【００１６】
前記切り込み１４は、サングラス等の眼鏡のつるの一本を差し込むためのものである。本実施例では、前記切り込み１４は、襟ぐりの縁部からの長さＬ１が約１０ｍｍで、切り込み１４自体の長さＬ２は、約１５ｍｍである。なお、本実施例で示した長さＬ１及びＬ２は一例であって、切り込み１４は、縁部から衣服１０の縦方向に５ｍｍ〜７０ｍｍの範囲内で、１０ｍｍ〜３０ｍｍの長さで設ければよい。
【００１７】
図１(B)に示すように、襟ぐり１２に引っ掛けた眼鏡５０のつる５２を、前記切り込み１４に差し込むことで、使用者がかがんでもつるが開くことがなく、眼鏡５０の落下を防止する。また、前記切り込み１４を衣服１０の縦方向に形成するとともに、一定の長さを確保することにより、更に眼鏡のつるを差し込みやすくなるという効果が得られる。
【００１８】
また、図１(A)に破線で示す領域１６、すなわち、前記切り込み１４を含む所定の領域を伸縮性の低い生地で補強するようにしてもよい。補強は、例えば、前記領域１６の裏面側に、伸縮性の低い生地（伸縮性がない生地も含む）を貼り付けて補強する。このように、切り込み１４を含む周辺の領域１６のみを補強することで汎用性が高くなる。また、補強することにより、切り込み１４が裂けることなく、また、眼鏡５０のつる５２を差し込んでいない時に切り込み１４を開きにくくし、見た目を自然に見せることができる。
【００１９】
なお、補強は、切り込み１４自体に補強を施してもよい。例えば、図１(B)に示すように、切り込み１４の縁部を、伸縮性の低い糸１８によってボタンホールのように補強するなどである。
【００２０】
図２には、本実施例の使用例が示されている。図２(A)には、使用者が起立状態で眼鏡５０を襟ぐり１２にかけると同時に、つる５２を切り込み１４に差し込んだ状態が示されている。この状態から、図２(B)に示すように、使用者が前かがみになったときでも、眼鏡５０のつる５２が、襟ぐり１２から切り込み１４の上端までの位置で、衣服１０の生地と引っ掛かっているため、眼鏡５０が落ちず、安定して引っ掛けておくことができる。
【００２１】
このように、実施例１によれば、次のような効果がある。
(1)衣服１０の上部に向けて開口した開口部を形成する縁部である襟ぐり１２を有する衣服１０において、前記襟ぐり１２から、衣服１０の下部側に所定の間隔をおいて、衣服１０の縦方向に切り込み１４を設けることとした。このため、眼鏡５０のつる５２が、襟ぐり１２から切り込み１４の上端までの位置で、衣服１０の生地と引っ掛かるため、眼鏡５０が落ちず、安定して引っ掛けておくことができる。また、眼鏡５０のつる５２をかける部分を切り込み１４としているため、衣服１０のデザインを損なうことがない。
(2)前記切り込み１４を、前記襟ぐり１２から５ｍｍ〜７０ｍｍの範囲に設けることとしたので、眼鏡５０のつる５２を引っ掛けたときに、衣服１０にかかる負荷を軽減することができる。
【００２２】
(3)また、前記切り込み１４を、１０ｍｍ〜３０ｍｍの長さで形成することとしたので、眼鏡５０のつる５２を差し込みやすい。
(4)更に、前記切り込み１４を含む所定の領域１６を、伸縮性の低い生地（伸縮性のない生地を含む）で補強することとしたので、汎用性が高い。また、所定の領域１６の補強と合わせて、あるいは、所定の領域１６の補強はせずに、切り込み１４自体に、伸縮性の低い糸１８で補強を施すこととした。以上のような補強により、切り込み１４が裂けることなく、眼鏡５０のつる５２を差し込んでいない時に切り込み１４を開きにくくし、見た目を自然に見せることができる。
【実施例２】
【００２３】
次に、図３を参照しながら本発明の実施例２を説明する。なお、上述した実施例１と同一ないし対応する構成要素には同一の符号を用いることとする。上述した実施例１は、切り込みを、衣服の縦方向に形成したが、本実施例は、切り込みを衣服の横方向に形成したものである。
【００２４】
図３に示すように、本実施例の衣服３０は、衣服の正面側であって、襟ぐり３２の中央付近から、衣服３０の下部に向けて所定の長さＬ１をおいた位置に、横方向に形成された切り込み３４が設けられている。前記切り込み３４は、サングラス等の眼鏡のつるの一本を差し込むためのものである。本実施例では、前記切り込み３４は、襟ぐりの縁部からの長さＬ１が約１０ｍｍで、切り込み３４自体の長さＬ３は、約１５ｍｍである。なお、本実施例で示した長さＬ１及びＬ３は一例であって、切り込み１４は、襟ぐり３２から衣服１０の下部方向に５ｍｍ〜７０ｍｍの範囲内で、かつ、衣服１０の横方向に１０ｍｍ〜３０ｍｍの長さで設ければよい。
【００２５】
襟ぐり３２に引っ掛けた眼鏡５０のつる５２を、前記切り込み３４に差し込むことで、使用者がかがんでもつるが開くことがなく、眼鏡５０の落下を防止する。なお、上述した実施例１と同様に、切り込み３４を含む所定の領域を伸縮性の低い（伸縮性のないものも含む）生地を貼り付けて補強するようにしてもよい。また、切り込み３４自体を伸縮性の低い糸を用いて補強してもよい。本実施例の基本的な作用・効果は、上述した実施例１と同様である。
【００２６】
なお、本発明は、上述した実施例に限定されるものではなく、本発明の要旨を逸脱しない範囲内において種々変更を加え得ることができる。例えば、以下のものも含まれる。
(1)前記実施例１では、襟ぐりの中央、すなわち、襟元に切り込み１４を設けているが、これも一例であり、切り込みを設ける位置は、ワイシャツやスーツの胸ポケットや脇など、その衣服の利用目的や特製に応じ、かつ、衣服の上部に向けて開口した開口部を形成する縁部近傍に設けられていればよい。実施例２についても同様である。
(2)前記実施例１では、切り込み１４を含む所定の領域１６を伸縮性の低い（伸縮性のないものも含む）生地で補強することとしたが、当該生地を貼る場所は、裏面に限られるものではなく、表面又は表裏両面に貼るようにしてもよい。また衣服１０を形成する生地自体を伸縮性の低い（伸縮性のないものも含む）生地としてもよい。実施例２についても同様である。
(3)前記実施例では、衣服１０，３０として、シャツ（Ｔシャツ）を例に挙げて説明したが、これも一例であり、衣服は、ポロシャツ、ワイシャツ、ブラウス、ニット、スポーツウェア、ブルゾンなどの公知なあらゆる衣服に適用可能である。
(4)本発明は、通常の眼鏡、サングラス、老眼鏡など、つるを含む公知の各種の眼鏡に適用可能である。
【産業上の利用可能性】
【００２７】
本発明によれば、衣服の上部に向けて開口した開口部を形成する縁部を備えた衣服であって、前記縁部から、前記衣服の下部側に所定の間隔をおいて、衣服の上下方向又は横方向に形成されており、眼鏡のつるを挿通可能な切り込み、を備えることとした。このため、衣服のデザインを損なうことなく、眼鏡のつるを安定して引っ掛けて、かがんだ姿勢でも眼鏡が落ちないため、眼鏡を引っ掛けるための衣服の用途に好適である。
【符号の説明】
【００２８】
１０：衣服
１２：襟ぐり
１４：切り込み
１６：領域
１８：糸
３０：衣服
３２：襟ぐり
３４：切り込み
５０：眼鏡
５２，５４：つる
Ｌ１〜Ｌ３：長さ
【図１】
2020084346.tif 000003
【図２】
2020084346.tif 000004
【図３】
2020084346.tif 000005